(57)【特許請求の範囲】
【請求項１】
プリズム体と、撮像部と、生体に可視光を照射する可視光源と、生体に赤外光を照射する赤外光源を有し、
前記プリズム体は、
生体と接触する生体接触面と、
前記生体接触面に接し、前記可視光源による前記生体の凹部からの光と前記生体の凸部からの光と、前記赤外光源による前記生体内部からの光とを全反射する反射面と、
前記生体接触面と対向し、前記反射面と接し、前記生体凹部からの直接光が到達せず、前記反射面で全反射された光と、前記生体の凸部からの光とを透過できる角度に設けられた撮像面と
を備え、
前記撮像部は、前記撮像面を透過する、前記生体の凸部からの光と、前記反射面により反射された前記生体の凹部からの光及び前記生体の凸部の光と、前記反射面により反射された前記生体内部からの光とを同時に撮像する
認証装置。
【請求項２】
前記可視光原による、前記生体の凸部から前記撮像面に直接到達した光を撮像した画像がハイコントラスト画像であり、
前記可視光原による、前記反射面により反射された前記生体の凹部からの光及び前記生体の凸部からの光を撮像した画像が自然画像であり、
前記赤外光原による、前記反射面により反射された前記生体の内部からの光が生体の血管パターン画像である
請求項１に記載の認証装置。
【請求項３】
前記可視光源及び前記赤外光源は、前記生体の上部に配置されている
請求項１又は請求項２に記載の認証装置。
【請求項４】
前記プリズム体の第１の側面及び第２の側面は、前記生体接触面と成す角度が９０度よりも小さくなるように形成されており、
前記可視光源は、前記プリズム体の第１の側面及び第２の側面の下部に設置され、
前記赤外光源は、前記生体の上部に配置されている
請求項１又は請求項２に記載の認証装置。
【請求項５】
前記プリズム体の第１の側面及び第２の側面は、前記生体接触面と成す角度が９０度よりも小さくなるように形成されており、
前記可視光源及び前記赤外光源は、前記プリズム体の第１の側面及び第２の側面の下部に設置されている
請求項１又は請求項２に記載の認証装置。
【請求項６】
前記生体が人間の指である
請求項１から請求項５のいずれかに記載の認証装置。
【請求項７】
生体認証用のプリズム体であって、
生体と接触する生体接触面と、
前記生体接触面に接し、生体に可視光を照射する可視光源による前記生体の凹部からの光と前記生体の凸部からの光と、生体に赤外光を照射する赤外光源による前記生体内部からの光とを全反射する反射面と、
前記生体接触面と対向し、前記反射面と接し、前記生体凹部からの直接光が到達せず、前記反射面で全反射された光と、前記生体の凸部からの光とを透過できる角度に設けられた撮像面と
を備えた生体認証用のプリズム体。
【請求項８】
前記プリズム体の第１の側面及び第２の側面は、前記生体接触面と成す角度が９０度よりも小さくなるように形成されている
請求項７に記載の生体認証用のプリズム体。
【請求項９】
生体と接触する生体接触面と、
前記生体接触面に接し、前記可視光源による前記生体の凹部からの光と前記生体の凸部からの光と、前記赤外光源による前記生体内部からの光とを全反射する反射面と、
前記生体接触面と対向し、前記反射面と接し、前記生体凹部からの直接光が到達せず、前記反射面で全反射された光と、前記生体の凸部からの光とを透過できる角度に設けられた撮像面と
を備えるプリズム体の前記生体接触面に生体を接触させ、
前記生体に可視光及び赤外光を照射し、
前記撮像面を透過する、前記生体の凸部からの光と、前記反射面により反射された前記生体の凹部からの光及び前記生体の凸部の光と、前記反射面により反射された前記生体内部からの光とを同時に撮像する
認証方法。
【請求項１０】
前記可視光原による、前記生体の凸部から前記撮像面に直接到達した光を撮像した画像がハイコントラスト画像であり、
前記可視光原による、前記反射面により反射された前記生体の凹部からの光及び前記生体の凸部からの光を撮像した画像が自然画像であり、
前記赤外光原による、前記反射面により反射された前記生体の内部からの光が生体の血管パターン画像である
請求項９に記載の認証方法。
【請求項１１】
前記生体の上部から可視光及び赤外光を照射する
請求項９又は請求項１０に記載の認証方法。
【請求項１２】
前記プリズム体の第１の側面及び第２の側面は、前記生体接触面と成す角度が９０度よりも小さくなるように形成され、
前記第１の側面及び前記第２の側面の下部から、前記第１の側面及び前記第２の側面に可視光を照射し、
前記生体の上部から赤外光を照射する
請求項９又は請求項１０に記載の認証方法。
【請求項１３】
前記プリズム体の第１の側面及び第２の側面は、前記生体接触面と成す角度が９０度よりも小さくなるように形成され、
前記第１の側面及び前記第２の側面の下部から、前記第１の側面及び前記第２の側面に可視光及び赤外光を照射する
請求項９又は請求項１０に記載の認証方法。
【発明の詳細な説明】
【技術分野】
【０００１】
本発明は、認証装置、認証用プリズム体及び認証方法に関する。
【背景技術】
【０００２】
特許文献１には、偽造判定用照明の可視光を被写体に反射させて取得された画像の色が、同様に取得されてデータ記録手段に予め登録されている指画像の色と一致しなければ、被写体を偽造指と判定する装置が記載されている。同装置は、個人識別用照明の近赤外光を指に照射して透過光から得た特徴点を、同様に取得されてデータ記録手段に予め登録されている指画像の特徴点と照合して個人識別を行う。【０００３】
特許文献２には、白色光と赤外光を選択的に切り替えて、白色光を指の表層部に反射させて指紋画像を取得し、赤外光を指内部に入射して散乱させ静脈画像を取得し、各々を登録指紋画像及び登録静脈画像と比較して、特定人物を認証する装置が記載されている。【０００４】
特許文献３には、高感度での指紋画像と低感度での指紋画像を比較して、偽造指を判定する装置が開示されている。【０００５】
特許文献４には、波長の異なる透過光で撮像した指静脈画像の差異に基づいて、該指静脈画像が生体のものであるかを判定する装置が記載されている。【０００６】
一方、特許文献５には、指紋認証用スキャナとしてプリズムを使用しコントラストを増強させる方式が記載されている。
【先行技術文献】
【特許文献】
【０００７】
【特許文献１】特開２００７−１２２２３７号公報
【特許文献２】特開２００７−１７９４３４号公報
【特許文献３】特開２００７−２５９９６４号公報
【特許文献４】特開２００８−６７７２７号公報
【特許文献５】米国特許６３８１３４７号公報
【発明の概要】
【発明が解決しようとする課題】
【０００８】
ところで、近年、シリコン等の樹脂で偽造された指を用いたり、凹凸を有する半透明な指紋の偽造フィルムを本物の指の先端に貼り付けて他人に「なりすます」等の犯罪的行為が多くなっている。【０００９】
このような行為を見破るためには、指紋等の照合を行うためのコントラストの高いハイコントラスト画像に加え、偽造を見破るための目視に近い指の自然画像を取得し、目視で確認することが考えられる。【００１０】
しかしながら、上述の特許文献１から４の技術は、いずれも同一の指から得られる反射光画像と透過光画像との比較により、当該指の偽造を高精度で検出出来ない。【００１１】
また、特許文献５の技術も、指紋の照合に必要なコントラストの高い画像が得られるが、プリズムに接触した部分の画像しか得られないため、上述の特許文献１から４の技術と同様に指の偽造を高精度で検出できない。【００１２】
また、ハイコントラスト画像と、偽造を見破るための目視に近い指の自然画像とを撮像する場合、それぞれの画像を撮像装置が必要となり、認証装置が大型化するという課題があった。【００１３】
更に、認証の精度を高めるため、赤外光を用いて生体内部の血管パターン等を撮像する場合には、ハイコントラスト画像を撮像する撮像装置及び自然画像を撮像する撮像装置に加え、赤外光による血管パターン等の画像を撮像する撮像装置も必要となり、更に、認証装置が大型化するという課題があった。【００１４】
そこで、本発明は上記課題に鑑みて発明されたものであって、その目的は、生体を照合するに十分なコントラストのあるハイコントラスト画像と、目視に近い生体の自然画像と、赤外光による血管パターン等の画像とを同時にひとつの撮像装置で取得できる認証装置、認証用プリズム体及び認証方法を提供することにある。
【課題を解決するための手段】
【００１５】
本発明は、プリズム体と、撮像部と、生体に可視光を照射する可視光源と、生体に赤外光を照射する赤外光源を有し、前記プリズム体は、生体と接触する生体接触面と、前記生体接触面に接し、前記可視光源による前記生体の凹部からの光と前記生体の凸部からの光と、前記赤外光源による前記生体内部からの光とを全反射する反射面と、前記生体接触面と対向し、前記反射面と接し、前記生体凹部からの直接光が到達せず、前記反射面で全反射された光と、前記生体の凸部からの光とを透過できる角度に設けられた撮像面とを備え、前記撮像部は、前記撮像面を透過する、前記生体の凸部からの光と、前記反射面により反射された前記生体の凹部からの光及び前記生体の凸部の光と、前記反射面により反射された前記生体内部からの光とを同時に撮像する認証装置である。【００１６】
本発明は、生体認証用のプリズム体であって、生体と接触する生体接触面と、前記生体接触面に接し、前記可視光源による前記生体の凹部からの光と前記生体の凸部からの光と、前記赤外光源による前記生体内部からの光とを全反射する反射面と、前記生体接触面と対向し、前記反射面と接し、前記生体凹部からの直接光が到達せず、前記反射面で全反射された光と、前記生体の凸部からの光とを透過できる角度に設けられた撮像面とを備えた生体認証用のプリズム体である。【００１７】
本発明は、生体と接触する生体接触面と、前記生体接触面に接し、前記可視光源による前記生体の凹部からの光と前記生体の凸部からの光と、前記赤外光源による前記生体内部からの光を全反射する反射面と、前記生体接触面と対向し、前記反射面と接し、前記生体凹部からの直接光が到達せず、前記反射面で全反射された光と、前記生体の凸部からの光とを透過できる角度に設けられた撮像面とを備えるプリズム体の前記生体接触面に生体を接触させ、前記生体に可視光及び赤外光を照射し、前記撮像面を透過する、前記生体の凸部からの光と、前記反射面により反射された前記生体の凹部からの光及び前記生体の凸部の光と、前記反射面により反射された前記生体内部からの光とを同時に撮像する認証方法である。
【発明の効果】
【００１８】
本発明によれば、生体を照合するに十分なコントラストのあるハイコントラスト画像と、目視に近い生体の自然画像と、赤外光による血管パターン等の画像とを同時にひとつの撮像装置で取得できる。
【図面の簡単な説明】
【００１９】
【図１】図１は本発明に係るプリズム１の構成を示す図である。
【図２】図２は本発明に係るプリズム１を説明する為の図である。
【図３】図３は本発明に係るプリズム１を説明する為の図である。
【図４】図４は本発明に係るプリズム１を説明する為の図である。
【図５】図５は本発明に係るプリズム１を説明する為の図である。
【図６】図６は第１の実施の形態における指紋認証装置の構成図である。
【図７】図７は撮像装置４により撮像されたハイコントラスト画像、自然画像及び血管パターン画像の一例を示す図である。
【図８】図８は第２の実施の形態の認証装置におけるプリズム７の構成図である。
【図９】図９は第２の実施の形態における認証装置の構成図である。
【図１０】図１０は第３の実施の形態における認証装置の構成図である。
【発明を実施するための形態】
【００２０】
本発明の実施の形態を詳細に説明する。
【００２１】
まず、本発明に係るプリズムの原理を説明する。
【００２２】
図１は本発明に係るプリズム１の構成を示す図である。図１中、１０は生体（例えば、指）と接触する生体接触面、１１は生体接触面１０に対向して設けられ、カメラ等の撮像装置が配置される側の面である撮像面であり、１２は生体接触面１０及び撮像面１１に接して設けられた反射面１２である。
【００２３】
次に、生体接触面１０に生体２が接触している場合の光路について、図２を用いて説明する。尚、以下の説明では、生体を指の場合として説明するが、これに限られない。例えば、手のひらの掌紋認証にも用いることができる。また、本例では、可視光源３を指２の指先の爪上側に設置し、照射光が指先２の爪側から生体内部に侵入し、光が散乱しながら進むようにする。可視光源３の照射光の波長は、生体に対して透過率の高い波長を使用することが好ましい。また、赤外光の赤外光源２０を、指２が生体接触面１０で圧迫されない位置の上側に設置し、照射光が指先２の上側から生体内部に侵入し、光が散乱しながら進むようにする。
【００２４】
指２から生体内に侵入した可視光源３の光は、細胞などの組織によって吸収、散乱されながら生体接触面１０まで達し、生体凸部（指紋の隆線部）及び生体凹部（指紋の谷線部や指腹部など生体接触面１０と接触していない部分）より散乱光として放射される。このとき散乱光は、生体が優れた光散乱体であるため、ほぼ１８０度の全方位に放射される。従って、生体凸部（指紋の隆線部）から出射した散乱光は生体接触面１０より下側のすべての領域に達することができる。
【００２５】
一方、生体凹部（指紋の谷線部や指腹部など生体接触面１０と接触していない部分）から出射した散乱光は、空気層を介してプリズム１に入射する。しかし、空気の屈折率は１．０、ガラスは１．３〜１．５、水分と皮膚は１．３〜１．４で屈折率に違いがあるため、生体凹部からの光と生体凸部のからの光とは異なる反射と屈折現象とが生じ、生体凸部からの光は全方向から観測されるが、生体凹部からの光は一定の角度のみ観測される。
【００２６】
そこで、図３に示すように、指２の生体凹部（指紋の谷線部や指腹部など生体接触面１０と接触していない部分）から空気層を通過してプリズムに入射される光が観測できる位置に、生体凸部（指紋の隆線部）及び生体凹部（指紋の谷線部や指腹部など生体接触面１０と接触していない部分）それらの入射光に対して臨界角以上の角度なるように反射面１２を設け、生体凸部（指紋の隆線部）と生体凹部（指紋の谷線部や指腹部など生体接触面１０と接触していない部分）との光及び赤外光を全反射させる。
【００２７】
次に、図４に示すように、生体凹部の入射光が直接観測できない位置で、かつ、反射面１２で全反射された光（生体凸部及び生体凹部の可視光と、非接触部からの赤外光）を透過できる角度に、撮像面１１を設ける。
【００２８】
このようにすることにより、図５に示す如く、撮像面１１の上部には、生体凹部からの光は届かず、生体凸部から光のみが撮像面１１に透過されるため、撮像面１１の上部には生体凹部は暗く、生体凸部は明るい生体認証用のハイコントラストな画像（以下、ハイコントラスト画像と記載する）が映る。一方、撮像面１１の中部には、反射面１２により全反射された、生体凹部から入射される光及び生体凸部から入射される光の双方の光が透過し、生体凹部の光と生体凸部の光とから成る自然な画像（自然画像）が映る。更に、撮像面１１の下部には、反射面１２により全反射された赤外光による画像、すなわち指２内の血管パターンの画像（血管パターン画像）が映る。
【００２９】
尚、面１３は、ハイコントラスト画像、自然画像及び血管パターン画像が映し出されるように、かつ、生体の認証に必要な大きさの画像を得るために生体と生体接触面１０との接触面積が十分に確保でき、血管パターン画像も撮像できる大きさとなるように、生体接触面１０と撮像面１１と接して設けられる。
【００３０】
上記のようなプリズムを認証装置に用いることにより、撮像面１１にはハイコントラスト画像、自然画像及び血管パターン画像が一度に写されるので、赤外光に感応する素子とフィルター及び可視領域にのみ感応する素子とカラーフィルターを備えた撮像装置を使用すれば単一の撮像装置で同時に、生体のハイコントラスト画像と自然画像と血管パターン画像とを取得できる。
【００３１】
また、ハイコントラスト画像は生体接触面から直進してくる画像を撮像しているので反射面が必要なく、反射面１２は全反射する条件なのでミラーコートの必要もない。よって、プリズム本体のコストを低減することができる。
【００３２】
＜第１の実施の形態＞
【００３３】
本発明の第１の実施の形態における認証装置の実施の形態を説明する。
【００３４】
図６は第１の実施の形態における指紋認証装置の構成図である。
【００３５】
第１の実施の形態における指紋認証装置において、上述したプリズム１は、生体接触面１０が装置上側に設けられて指２の指紋の載置面となる位置に設けられる。また、指２の第一関節と第二関節の部位にある血管を生体接触面１０で圧迫して血流を失わないようにするための突起部６が設けられている。
【００３６】
そして、可視光源３を指２の指先の爪上側に設置し、照射光が指先２の爪側から生体内部に侵入し、散乱しながら進むようにする。可視光源３の照射光の波長は、生体に対して透過率の高い波長を使用すべきであることは言うまでもないが、例えば、波長０．６μｍ〜１．４μｍの範囲では比較的高い透過率を示し、本発明の光源波長として有効である。また、可視光源３の種類は特に限定しないが、ＬＥＤは安価で高輝度であることから、ＬＥＤを用いても良い。
【００３７】
また、指２の第一関節と第二関節との間部位の上部に赤外光源４を設ける。
【００３８】
また、プリズム１の撮像面１１側の下部には、撮像面１１を介して、指紋の隆線部及び谷線部がはっきりとしたハイコントラスト画像と、指の指紋部の自然画像と、指２の第一関節と第二関節の間の部位にある血管の血管パターン画像を撮像する撮像装置５が設けられている。この撮像装置５は、赤外光に感応する素子とフィルター及び可視領域にのみ感応する素子とカラーフィルターを備えた撮像装置であり、赤外線画像と通常のＲＧＢ画像とを同時に取得できるＣＭＯＳセンサーである。尚、赤外線画像と通常のＲＧＢ画像とを同時に取得できる撮像装置であれば、他の構成のものでもかまわない。
【００３９】
次に、上述した生体認証装置の動作を説明する。
【００４０】
まず、認証に際して、指２を積載面であるプリズム１の生体接触面１０に積載する。
【００４１】
指２の指紋部位がプリズム１の生体接触面１０に積載された状態で、可視光源３と赤外光源４とが発光し、指２に対して撮影用の光が照射される。
【００４２】
指２から生体内に侵入した可視光源３の光及び赤外光源４の光は、細胞などの組織によって吸収、散乱されながら生体接触面１０まで達し、指紋の隆線部及び指紋の谷線部と、指２の第一関節と第二関節の間の部位とより散乱光として放射される。
【００４３】
次に、指紋の隆線部から出射した散乱光は生体接触面１０より下側のすべての領域に達し、撮像面１１を透過するともに、反射面１２により撮像面１１に反射される。一方、指紋の谷線部及び指２の第一関節と第二関節の間の部位から出射した光は、空気層を介してプリズム１に入射し、指紋の隆線部から出射した散乱光と共に、反射面１２により撮像面１１に反射される。
【００４４】
撮像装置５は、プリズム１の撮像面１１を透過した光により、一度の撮影で、指２の指紋部のハイコントラスト画像及び自然画像と、指２の第一関節と第二関節の間の部位の血管パターン画像とを撮像する。撮像装置５により、撮影された画像の一例を図７に示す。図７からもわかるように、指紋部位のハイコントラスト画像及び指紋部位を含む指２の自然画像と、指２の第一関節と第二関節の間の部位の血管パターン画像とが撮像されることが分かる。
【００４５】
このようにして得られたハイコントラスト画像及び血管パターン画像から特徴量を抽出・照合を行うことにより、生体の照合、認証を行うことができる。また、自然画像については、撮像された画像を表示装置に表示して目視で確認したり、所定の照合アルゴリズムを用いることにより、照合に際して偽造した指紋フィルムやテープなどを使用しているかを判別することができる。
【００４６】
このように、第１の実施の形態の認証装置は、偽造した指紋フィルムやテープなどを使用しているかを判別するための目視に近い自然画像と、生体（指紋及び血管パターン）を照合するために用いられるコントラストの高い画像及び血管パターン画像とを、１個の撮像装置で、一回の指の撮影により得ることができる。また、プリズム１の反射面１２には、撮像面１１に光を反射させるためのミラーコートのような反射体を設ける必要がなく、プリズム本体が廉価にできるため、認証装置全体のコストを低減することができる。
【００４７】
＜第２の実施の形態＞
第２の実施の形態を説明する。
【００４８】
第２の実施の形態の認証装置では、プリズムの形状が上述した実施の形態に用いられるプリズム１と異なる。
【００４９】
図８は第２の実施の形態の認証装置におけるプリズム７の構成図である。プリズム７がプリズム１の形状と異なる所は、図２に示されるように、プリズム７の第１の側面１５及び第２の側面１６は、生体接触面１０と成す角度が９０度よりも小さくなるように形成されている。すなわち、生体接触面１０に対向する撮像面１１に向かってテーパーが付けられている点である。尚、撮像面１１及び反射面１２については、プリズム１と同様な角度で設けられている。
【００５０】
プリズム７を上記構成にすることにより、可視光源に、透過光源ではなく、反射光源を用いることができ、可視光源の光源位置をプリズム７の下部に設けることができる。
【００５１】
図９は第２の実施の形態における認証装置の構成図である。
【００５２】
プリズム７の第１の側面１５と第２の側面１６に光を照射する可視光原８が設けられている。可視光原８の照射光の波長は、生体に対して透過率の高い波長を使用すべきであることは言うまでもないが、例えば、波長０．６μｍ〜１．４μｍの範囲では比較的高い透過率を示し、本発明の光源波長として有効である。また、可視光源７の種類は特に限定しないが、ＬＥＤは安価で高輝度であることから、ＬＥＤを用いても良い。
【００５３】
次に、上述した生体認証装置の動作を説明する。
【００５４】
まず、認証に際して、指２を積載面であるプリズム１の生体接触面１０に積載する。
【００５５】
指２の指紋部位がプリズム１の生体接触面１０に積載された状態で、可視光源７と赤外光源４とが発光し、指２に対して撮影用の光が照射される。
【００５６】
指２から生体内に侵入した可視光源３の光及び赤外光源４の光は、細胞などの組織によって吸収、散乱されながら再び生体接触面１０まで達し、指紋の隆線部及び指紋の谷線部と、指２の第一関節と第二関節の間の部位とより散乱光として放射される。
【００５７】
次に、指紋の隆線部から出射（生体接触面１０で反射）した散乱光は生体接触面１０より下側のすべての領域に達し、撮像面１１を透過するともに、反射面１２により撮像面１１に反射される。一方、指紋の谷線部及び指２の第一関節と第二関節の間の部位から出射した光は、空気層を介してプリズム１に入射し、指紋の隆線部から出射した散乱光と共に、反射面１２により撮像面１１に反射される。
【００５８】
撮像装置５は、プリズム１の撮像面１１を透過した光により、一度の撮影で、指２の指紋部のハイコントラスト画像及び自然画像と、指２の第一関節と第二関節の間の部位の血管パターン画像とを撮像する。
【００５９】
第２の実施の形態の認証装置は、第１の実施の形態の認証装置と同様な効果を有するが、生体に照射する可視光の光源をプリズム下部に設置することができるので、生体の上部に可視光源を設置するのに比べ、より認証装置の小型化を図ることができる。
【００６０】
＜第３の実施の形態＞
第３の実施の形態を説明する。
【００６１】
第３の実施の形態は、第２の実施の形態の認証装置の上部にある赤外光源４の代わりに、可視光原８と同様に、プリズム７の第１の側面１５と第２の側面１６とのそれぞれの下部に赤外光源９を設けている点で、第２の実施の形態と異なる。
【００６２】
図１０は第３の実施の形態における認証装置の構成図である。
【００６３】
プリズム７の第１の側面１５と第２の側面１６には、光を照射する可視光原及び赤外光源９が、それぞれ設けられている。
【００６４】
次に、上述した生体認証装置の動作を説明する。
【００６５】
まず、認証に際して、指２を積載面であるプリズム１の生体接触面１０に積載する。
【００６６】
指２の指紋部位がプリズム１の生体接触面１０に積載された状態で、可視光源７と赤外光源９とが発光し、指２に対して撮影用の光が照射される。
【００６７】
指２から生体内に侵入した可視光源３の光及び赤外光源９の光は、細胞などの組織によって吸収、散乱されながら再び生体接触面１０まで達し、指紋の隆線部及び指紋の谷線部と、指２の第一関節と第二関節の間の部位とより散乱光として放射される。
【００６８】
次に、指紋の隆線部から出射（生体接触面１０で反射）した散乱光は生体接触面１０より下側のすべての領域に達し、撮像面１１を透過するともに、反射面１２により撮像面１１に反射される。一方、指紋の谷線部及び指２の第一関節と第二関節の間の部位から出射した光は、空気層を介してプリズム１に入射し、指紋の隆線部から出射した散乱光と共に、反射面１２により撮像面１１に反射される。
【００６９】
撮像装置５は、プリズム１の撮像面１１を透過した光により、一度の撮影で、指２の指紋部のハイコントラスト画像及び自然画像と、指２の第一関節と第二関節の間の部位の血管パターン画像とを撮像する。
【００７０】
第３の実施の形態の認証装置は、第１、第２の実施の形態の認証装置と同様な効果を有するが、生体に照射する可視光の光源及び赤外光の光源をプリズム下部に設置することができるので、生体の上部に可視光源及び赤外光源を設置するのに比べ、より認証装置の小型化を図ることができる。
【００７１】
また、上記の実施形態の一部又は全部は、以下の付記のようにも記載されうるが、以下には限られない。
【００７２】
（付記１）  プリズム体と、撮像部と、生体に可視光を照射する可視光源と、生体に赤外光を照射する赤外光源を有し、
前記プリズム体は、
生体と接触する生体接触面と、
前記生体接触面に接し、前記可視光源による前記生体の凹部からの光と前記生体の凸部からの光と、前記赤外光源による前記生体内部からの光とを全反射する反射面と、
前記生体接触面と対向し、前記反射面と接し、前記生体凹部からの直接光が到達せず、前記反射面で全反射された光と、前記生体の凸部からの光とを透過できる角度に設けられた撮像面と
を備え、
前記撮像部は、前記撮像面を透過する、前記生体の凸部からの光と、前記反射面により反射された前記生体の凹部からの光及び前記生体の凸部の光と、前記反射面により反射された前記生体内部からの光とを同時に撮像する
認証装置。
【００７３】
（付記２）  前記可視光原による、前記生体の凸部から前記撮像面に直接到達した光を撮像した画像がハイコントラスト画像であり、
前記可視光原による、前記反射面により反射された前記生体の凹部からの光及び前記生体の凸部からの光を撮像した画像が自然画像であり、
前記赤外光原による、前記反射面により反射された前記生体の内部からの光が生体の血管パターン画像である
付記１又は付記２に記載の認証装置。
【００７４】
（付記３）  前記可視光源及び前記赤外光源は、前記生体の上部に配置されている
付記１又は付記２に記載の認証装置。
【００７５】
（付記４）  前記プリズム体の第１の側面及び第２の側面は、前記生体接触面と成す角度が９０度よりも小さくなるように形成されており、
前記可視光源は、前記プリズム体の第１の側面及び第２の側面の下部に設置され、
前記赤外光源は、前記生体の上部に配置されている
付記１又は付記２に記載の認証装置。
【００７６】
（付記５）  前記プリズム体の第１の側面及び第２の側面は、前記生体接触面と成す角度が９０度よりも小さくなるように形成されており、
前記可視光源及び前記赤外光源は、前記プリズム体の第１の側面及び第２の側面の下部に設置されている
付記１又は付記２に記載の認証装置。
【００７７】
（付記６）  前記生体が人間の指である
付記１から付記５のいずれかに記載の認証装置。
【００７８】
（付記７）  生体認証用のプリズム体であって、
生体と接触する生体接触面と、
前記生体接触面に接し、前記可視光源による前記生体の凹部からの光と前記生体の凸部からの光と、前記赤外光源による前記生体内部からの光を全反射する反射面と、
前記生体接触面と対向し、前記反射面と接し、前記生体凹部からの直接光が到達せず、前記反射面で全反射された光と、前記生体の凸部からの光とを透過できる角度に設けられた撮像面と
を備えた生体認証用のプリズム体。
【００７９】
（付記８）  前記プリズム体の第１の側面及び第２の側面は、前記生体接触面と成す角度が９０度よりも小さくなるように形成されている
付記７に記載の生体認証用のプリズム体。
【００８０】
（付記９）  生体と接触する生体接触面と、
前記生体接触面に接し、前記可視光源による前記生体の凹部からの光と前記生体の凸部からの光と、前記赤外光源による前記生体内部からの光とを全反射する反射面と、
前記生体接触面と対向し、前記反射面と接し、前記生体凹部からの直接光が到達せず、前記反射面で全反射された光と、前記生体の凸部からの光とを透過できる角度に設けられた撮像面と
を備えるプリズム体の前記生体接触面に生体を接触させ、
前記生体に可視光及び赤外光を照射し、
前記撮像面を透過する、前記生体の凸部からの光と、前記反射面により反射された前記生体の凹部からの光及び前記生体の凸部の光と、前記反射面により反射された前記生体内部からの光とを同時に撮像する
認証方法。
【００８１】
（付記１０）  前記可視光原による、前記生体の凸部から前記撮像面に直接到達した光を撮像した画像がハイコントラスト画像であり、
前記可視光原による、前記反射面により反射された前記生体の凹部からの光及び前記生体の凸部からの光を撮像した画像が自然画像であり、
前記赤外光原による、前記反射面により反射された前記生体の内部からの光が生体の血管パターン画像である
付記９に記載の認証方法。
【００８２】
（付記１１）  前記生体の上部から可視光及び赤外光を照射する
付記９又は付記１０に記載の認証方法。
【００８３】
（付記１２）  前記プリズム体の第１の側面及び第２の側面は、前記生体接触面と成す角度が９０度よりも小さくなるように形成され、
前記第１の側面及び前記第２の側面の下部から、前記第１の側面及び前記第２の側面に可視光を照射し、
前記生体の上部から赤外光を照射する
付記９又は付記１０に記載の認証方法。
【００８４】
（付記１３）  前記プリズム体の第１の側面及び第２の側面は、前記生体接触面と成す角度が９０度よりも小さくなるように形成され、
前記第１の側面及び前記第２の側面の下部から、前記第１の側面及び前記第２の側面に可視光及び赤外光を照射する
付記９又は付記１０に記載の認証方法。
【００８５】
以上好ましい実施の形態をあげて本発明を説明したが、本発明は必ずしも上記実施の形態に限定されるものではなく、その技術的思想の範囲内において様々に変形し実施することが出来る。
【００８６】
本出願は、２０１２年３月２７日に出願された日本出願特願２０１２−０７１９２１号を基礎とする優先権を主張し、その開示の全てをここに取り込む。
【符号の説明】
【００８７】
１      プリズム
２      指
３      可視光源
４      赤外光源
５      撮像装置
６      突起部
７    プリズム
８    可視光源
９    赤外光源
１０    生体接触面
１１    撮像面
１２    反射面
１３    面
１５    第１の側面
１６    第２の側面
【図１】
0005854245.tif 000002
【図２】
0005854245.tif 000003
【図３】
0005854245.tif 000004
【図４】
0005854245.tif 000005
【図５】
0005854245.tif 000006
【図６】
0005854245.tif 000007
【図７】
0005854245.tif 000008
【図８】
0005854245.tif 000009
【図９】
0005854245.tif 000010
【図１０】
0005854245.tif 000011